(57)【要約】【課題】  従来の非常口の方向を示す誘導灯を点灯または点滅させることにより非常口の方向に誘導するものにあっては、誘導灯に近づかなければ点灯または点滅している矢印の方向が確認できず、迅速な避難を妨げるといった問題があった。【解決手段】  発光色が照明として適する色の発光手段をトンネル内に沿って多数配置した照明手段２と、前記トンネル内に火災が発生したことを検出する火災検出装置１と、該火災検出装置よりの信号が入力されない状態においては前記照明手段を照明灯として点灯させ、前記火災検出装置よりの火災発生信号が入力されると前記照明手段を避難口あるいは坑口に向かって順次移動点灯させ、誘導灯としての作用を行なわせる制御手段３，２２とから構成したトンネル照明装置である。【選択図】        図１
2005173833.tif 000002
【特許請求の範囲】
【請求項１】
発光色が照明として適する色の発光手段をトンネル内に沿って多数配置した照明手段と、
前記トンネル内に火災が発生したことを検出する火災検出装置と、
該火災検出装置よりの信号が入力されない状態においては前記照明手段を照明灯として点灯させ、前記火災検出装置よりの火災発生信号が入力されると前記照明手段を避難口あるいは坑口に向かって順次移動点灯させ誘導灯としての作用を行なわせる制御手段と、
から構成したことを特徴とするトンネル照明装置。
【請求項２】
発光色の異なる少なくとも２色からなる発光手段をトンネル内に沿って多数配置した照明手段と、
前記トンネル内に火災が発生したことを検出する火災検出装置と、
該火災検出装置よりの信号が入力されない状態においては前記照明手段を照明灯として点灯させ、前記火災検出装置よりの火災発生信号が入力されると前記点灯している照明手段を前記照明色とは異なる発光色によって避難口あるいは坑口に向かって順次移動点灯することで誘導灯としての作用を行なわせる制御手段と、
から構成したことを特徴とするトンネル照明装置。
【請求項３】
前記制御手段は、誘導灯として動作させる場合に、誘導方向を図柄や文字に変換して表示するようにしたことを特徴とする請求項１または請求項２に記載のトンネル照明装置。
【請求項４】
前記制御手段は、外部からの表示切換え信号により各避難口および坑口に向かって順次移動する誘導表示と、坑口のみに向かって順次移動する誘導表示とに切換えることを特徴とする請求項１または請求項２に記載のトンネル照明装置。
【請求項５】
前記照明手段における発光手段が赤色、青緑色および混合色である白色を発光する赤、青緑の２色で構成され、前記制御手段は、照明時の照明色と、火災発生現場を示す色および誘導方向を示す色とで異ならしめて発光させるようにしたことを特徴とする請求項２記載のトンネル照明装置。
【請求項６】
前記制御手段は、前記順次移動の誘導灯として動作させる場合には、所望間隔毎に配置されている照明手段を照明灯として機能させるために常時点灯状態とし、何れかの発光色の発光手段を順次消灯することを特徴とする請求項２に記載のトンネル照明装置。
【発明の詳細な説明】
【技術分野】
【０００１】
本発明はトンネル内において火災が発生した場合に、該トンネル内に居る人を安全に避難口や坑口に誘導するためのトンネル照明装置に関する。
【背景技術】
【０００２】
火災が発生した場合に、避難者を安全な場所に誘導する避難誘導灯装置として、特開平９−３１９３１７号公報がある。この公報の技術は、内部照明が可能な矢印が表示された誘導灯を室内通路の壁面や天井に設置し、火災が発生した場合に、火災の進行状況に応じて誘導方向の表示を点灯または点滅制御して階段室等の非常口に誘導するものである。
【０００３】
また、トンネル内の壁面下部に発光ダイオードを内蔵した照明装置を設置し、該発光ダイオードを点灯することでトンネル内の壁側に沿って歩く歩行者の安全を確保し、かつ、走行する自動車のドライバーが歩行者を認識することができるという技術が特開平５−２１７４０６号公報に開示されている。
【特許文献１】特開平９−３１９３１７号公報
【特許文献２】特開平５−２１７４０６号公報
【発明の開示】
【発明が解決しようとする課題】
【０００４】
ところで、前記した特開平９−３１９３１７号公報の技術は、従来から存在する非常口の方向を示す誘導灯のみを点灯または点滅させることにより、非常口の方向に誘導するというものである。
【０００５】
また、前記誘導灯は２つの矢印の一方のみを点灯または点滅させるものであり、非常口に向かって順次移動させるというものでないことから、複数の非常灯が同時に点灯または点滅した場合にはどちらに避難するかを避難者が誘導灯に近づかなければ確認できないため迅速な避難を妨げるといった問題があった。
【０００６】
また、前記した特開平５−２１７４０６号公報の技術には、照明灯として発光ダイオードを使用したものが開示されているが、単色の発光ダイオードを用いてトンネル内を歩行する歩行者の足元を照明するというものであり、火災が発生した時の避難誘導を行なうものではない。
【０００７】
本発明は前記した問題点を解決せんとするもので、その目的とするところは、トンネル内を照明する照明手段によって火災発生時に避難口あるいは坑口に向かって発光手段を順次移動点灯することで、トンネル内に居る歩行者やドライバーを避難口あるいは坑口に迅速、かつ、安全に誘導することができるトンネル照明装置を提供せんとするにある。
【課題を解決するための手段】
【０００８】
本発明のトンネル照明装置は前記した目的を達成せんとするもので、請求項１の手段は、発光色が照明として適する色の発光手段をトンネル内に沿って多数配置した照明手段と、前記トンネル内に火災が発生したことを検出する火災検出装置と、該火災検出装置よりの信号が入力されない状態においては前記照明手段を照明灯として点灯させ、前記火災検出装置よりの火災発生信号が入力されると前記照明手段を避難口あるいは坑口に向かって順次移動点灯させ誘導灯としての作用を行なわせる制御手段とから構成したものである。
【０００９】
請求項２の手段は、発光色の異なる少なくとも２色からなる発光手段をトンネル内に沿って多数配置した照明手段と、前記トンネル内に火災が発生したことを検出する火災検出装置と、該火災検出装置よりの信号が入力されない状態においては前記照明手段を照明灯として点灯させ、前記火災検出装置よりの火災発生信号が入力されると前記点灯している照明手段を前記照明色とは異なる発光色によって避難口あるいは坑口に向かって順次移動点灯することで誘導灯としての作用を行なわせる制御手段とから構成したものである。
【００１０】
請求項３の手段は前記した請求項１または２において、前記制御手段は、誘導灯として動作させる場合に、誘導方向を図柄や文字に変換して表示するようにしたことを特徴とする１
【００１１】
請求項４の手段は前記した請求項１または２において、前記制御手段は、外部からの表示切換え信号により各避難口および坑口に向かって順次移動する誘導表示と、坑口のみに向かって順次移動する誘導表示とに切換えることを特徴とする。  
【００１２】
請求項５の手段は前記した請求項２において、前記照明手段における発光手段が赤色、青緑色および混合色である白色を発光する赤、青緑の２色で構成され、前記制御手段は、照明時の照明色と、火災発生現場を示す色および誘導方向を示す色とで異ならしめて発光させるようにしたことを特徴とする。
【００１３】
請求項６の手段は前記した請求項２において、前記制御手段は、前記順次移動の誘導灯として動作させる場合には、所望間隔毎に配置されている照明手段を照明灯として機能させるために常時点灯状態とし、何れかの発光色の発光手段を順次消灯することを特徴とする。
【発明の効果】
【００１４】
本発明は前記したように、発光色が照明として適する色の発光手段からなる照明手段は通常時は照明灯として利用し、火災が発生した時に火災検出装置よりの火災発生信号が入力されると前記照明手段を避難口あるいは坑口に向かって順次移動点灯させ誘導灯としての作用をさせたので、表示面が大きいことから非常に目立ちやすくトンネル内に居る歩行者やドライバーを避難口あるいは坑口に迅速、かつ、安全に誘導することができる。
【００１５】
また、火災検出装置よりの火災発生信号が入力されると点灯している照明手段を前記照明色とは異なる発光色によって順次移動するように点灯して誘導するようにしたので、トンネル内に居る人は火災発生場所を確認することができると共に避難方向を明確に判断することができ、避難者がパニックになる心理を抑え、効果的に避難者を誘導することができる。
【００１６】
さらに、照明灯として作用させる場合には白色で照明するようにすれば、トンネル内を明るく照明でき、また、火災発生現場を照明する場合には赤色で照明するようにすれば、火災発生現場がどこであるかを容易に判断することができ、さらに、避難口や坑口に向かって誘導する場合には安全色として知覚される青緑色で照明するようにすれば、安心して誘導方向に従って移動させることができるものである。
【００１７】
また、誘導灯として動作させる場合に、誘導方向を図柄や文字に変換して表示するようにすることで、避難者が図柄や文字を見ることで順次移動に加えてより避難方向を明確に確認でき、従って、遠方の照明手段が見えなくとも安全に避難することが可能となる。
【００１８】
さらに、火災の進行状況に応じて照明手段を坑口のみに向かって順次移動する誘導表示と、坑口のみに向かって順次移動する誘導表示とに切換えることで、狭い避難通路での混雑を防止してトンネル内の多数の人を短時間で安全に避難させることができる。
【００１９】
また、順次移動の誘導灯として動作させる場合において、所望間隔毎に配置されている照明手段を照明灯として機能させるために常時点灯状態とすることで、照明灯による避難時の明るさが確保されるので、安全に避難口や坑口に向かって移動することができる等の効果を有するものである。
【発明を実施するための最良の形態】
【００２０】
本発明は、発光ダイオードやインバータ制御される蛍光灯等の高速で点灯を行なうことが可能な発光手段を配置した照明手段を、通常時は照明灯として利用し、火災が発生した時に火災検出装置よりの火災発生信号が入力されると点灯している前記照明手段を避難口あるいは坑口に向かって順次移動させ誘導灯として利用するようにしたものである。
【実施例】
【００２１】
以下、本発明に係るトンネル照明装置の一実施例を図面と共に説明する。なお、この実施例では発光手段として発光ダイオード（以下、単にＬＥＤという）を利用した場合について説明する。
図１は全体のブロック図、図２は照明装置群のブロック図にして、図１において、１はトンネル内の天井部に、例えば、２５ｍ間隔毎に設置した炎から発生する赤外線を検知することで火災発生の信号を出力する、例えば、公知の炭酸ガスＣＯ2 共鳴式火災検知手段、あるいは、テレビカメラからの映像信号をデジタル信号に変換したデジタル画像を連続して複数枚のデジタル画像としてフレームメモリに記憶させ、該フレームメモリよりの複数枚のデジタル画像から各画素点についての時間方向の輝度揺らぎの分散を求め、該輝度揺らぎの分散状態から火災の発生を検出する火災検出手段（特開平１１−１３４５７１号公報）等からなる火災検出装置である。そして、各火災検出装置１にはそれぞれアドレスが付与されている。
【００２２】
２はトンネル内に設けられた避難口の間、あるいは、避難口から坑口までを照明するための照明装置群にして、各照明装置群２は照明装置２１と、該照明装置２１の各照明装置群を制御するためのサブ制御部２２とから構成されている。ここで、照明装置２１は火災発生個所を表示するか、あるいは、誘導するための表示をするかを切換えるための切換手段２１ａと、発光手段としての赤と青緑の２色のＬＥＤをマトリックス状に配置した表示体２１ｂと、該表示体２１ｂを点灯させるためのＬＥＤドライバ２１ｃとから構成されている。そして、前記サブ制御部２２には前記照明装置２１が多数並列接続されている。なお、火災検出装置１が火災を検出していない状態においては、赤と青緑のＬＥＤによる混合色である白色による照明灯として点灯されている。
【００２３】
また、サブ制御部２２は、後述するメイン制御部３よりの指令に基づいて前記照明装置２１の１つを火災発生現場を表示するための赤色と混合色である白色とを交互点滅させるか、避難口あるいは坑口に向かって照明装置２１のＬＥＤを青緑の発光色で順次移動させる誘導状態で表示させるか、あるいは、前記点灯時において文字や図柄を表示することで避難者がパニック状態に陥らないように、より明確な誘導表示を行なうものである。そして、各照明装置群２にはそれぞれアドレスが付与され、かつ、各照明装置２１にはそれぞれサブアドレスが付与されている。
【００２４】
３は前記火災検出装置１よりの火災発生信号が入力されると、付与されているアドレスから何れの場所に設置された火災検出装置１かの判断を行い、火災発生現場に近い照明装置群２を照明装置群に対して予め付与されているアドレスから検索し、かつ、該検索された照明装置群２における各照明装置２１に付与されているサブアドレスから最も火災発生現場に近い照明装置２１を検索し、さらに、前記選択された照明装置群２以外の照明装置群２に対して火災発生現場の位置アドレスを送出するメイン制御部である。
【００２５】
次に、前記した構成に基づいて動作を図３〜図５に示すフローチャートと共に説明する。
先ず、メイン制御部３は何れの火災検出装置１が火災の発生を検出したか否かの監視を行い（ステップＳ１）、該火災検出装置１が火災を検出していないと判断すると全ての照明装置群２における表示体２１ｂを赤と青緑のＬＥＤによる混合色である白色による照明灯として点灯させる。そして、前記火災検出装置１が火災の発生を検出したと判断すると何処に設置した火災検出装置１からの検出信号であるかを予め火災検出装置１に付与されているアドレスから判断して記憶する（ステップＳ２）。
【００２６】
次いで、メイン制御部３は前記火災を検出した火災検出装置１の位置に近い照明装置群２を、予め付与されている設置位置を現すアドレスから検索する（ステップＳ３）と共に、検索された照明装置群２内における複数の照明装置２１から前記火災検出装置１が設置された位置に最も近い位置に設置されている照明装置２１をサブアドレスから検索し、該サブアドレスと共に前記検索された照明装置群２のサブ制御部２２にデータとして送信する（ステップＳ４）。また、前記検索された照明装置群２以外の照明装置群２に対しては、火災を検出した火災検出装置１のアドレスを付して送信する（ステップＳ５）。
【００２７】
前記検索された照明装置群２におけるサブ制御部２２は、火災を検出した火災検出装置１の位置を示すアドレスと、火災発生現場に最も近い照明装置２１のサブアドレスを受信すると、切換手段２１ａを介して前記選択された照明装置２１の表示体２１ｂをドライバ２１ｃによって駆動し、赤のＬＥＤと赤と青緑との混合色である白色とを交互に点灯して火災現場の表示を行なう（ステップＳ４１）。
【００２８】
また、前記選択した照明装置２１以外の照明装置２１に対しては、予め登録してある避難口あるいは坑口に向かって白色表示している表示体２１ｂの赤のＬＥＤを消灯することにより青緑ＬＥＤによる青緑色の表示を図６に示すように繰り返し順次移動させて避難者を誘導する（ステップＳ４２）。なお、この順次移動において、近場の避難口が火災現場を越えた位置にある場合には、火災発生現場を通り越して避難するのは危険なので、火災現場とは反対側に有る避難口や坑口方向に向かって青緑の発光による表示を順次移動させる。
【００２９】
一方、火災現場の近くに設置された照明装置群２以外の照明装置群２は、メイン制御部３から火災を検出した火災検出装置１のアドレスのみが送信されることから、サブ制御部２２は予め登録してある近場の避難口あるいは坑口に向かって表示体２１ｂを青緑ＬＥＤによる青緑色で繰り返し順次移動させて避難者を誘導する（ステップＳ５１）。
【００３０】
そして、サブ制御部２２は、前記煙が広がったとの判断に基づく表示切換え信号を受信したか否かを判断し（ステップＳ５２）、表示切換え信号を受信したと判断すると、図７に示すように前記避難口に向かって順次移動していた表示体２１ｂを坑口の方向に誘導するように順次移動させて避難者をトンネル外に誘導する（ステップＳ５３）。
【００３１】
なお、前記した実施例の動作説明における青緑色による順次移動点灯の制御方法には２通りの方法があり、その１つは全点灯状態のＬＥＤを全消灯した後に順次移動点灯する方法であり、また、他の方法は全点灯状態のＬＥＤを順次移動消灯させる方法であり、何れの制御方法にあっても青緑色の光が避難口や坑口に向かって移動しているように見えるものである。
【００３２】
また、前記した動作において、火災現場から避難口に向かって避難する際に、図６に示すように火災現場からの順次移動（左方向への誘導）と、該避難口への他の方向からの青緑色の発光色による順次移動（右方向からの誘導）とが対向しているので、両方向から避難する者同士が向かい合う状態となり、従って、避難口を見逃してしまうことが防止され確実に避難することができる。
【００３３】
また、各照明装置群２の表示体２１ｂの数が多くなると、順次移動している青緑色の点灯が見えにくくなることが考えられるので、青緑による表示を連続して移動させるのではなく、例えば、白色で表示した表示体２１ｂの４個に１個の割合で表示体２１ｂを青緑色で点灯させて青緑色の順次移動を行なうことで、誘導方向を明瞭に確認することが可能となる。
【００３４】
また、照明としての作用を行なわせる白色を発光させるのに、青緑と赤のＬＥＤによって行なった場合について説明したが、２つの異なる色のＬＥＤによって白色または白色に近い色を発光できるＬＥＤであれば前記ＬＥＤに限定されるものではない。また、発光手段はＬＥＤに限定されるものではなく、高速で単色発光が可能な、例えば、インバータ制御される蛍光灯等であってもよい。
【００３５】
また、前記順次移動の動作において、順次移動の一部で表示体２１ｂで文字や図柄を表示することで、緊急情報等を表示して避難者に伝えるようにしてもよい。ただし、文字や図柄を表示しない場合には、ＬＥＤの配置をマトリックス状に配置する必要はなく、千鳥状等、任意の配置を選択することができる。
【図面の簡単な説明】
【００３６】
【図１】本発明に係るトンネル照明装置の全体のブロック図である。
【図２】同上における照明装置群を示すブロック図である。
【図３】動作を示すメインフローを示すフローチャートである。
【図４】選択された照明装置群の動作を示すサブフローを示すフローチャートである。
【図５】他の照明装置群の動作を示すサブフローを示すフローチャートである。
【図６】坑口に向かって誘導している順次移動状態を示す説明図である。
【図７】避難口に向かって誘導している順次移動状態を示す説明図である。
【符号の説明】
【００３７】
１          火災検出装置
２          照明装置群（照明手段）
２１        照明装置
２１ａ      切換手段
２１ｂ      表示体
２２        サブ制御部
３          メイン制御部
【図１】
2005173833.tif 000003
【図２】
2005173833.tif 000004
【図３】
2005173833.tif 000005
【図４】
2005173833.tif 000006
【図５】
2005173833.tif 000007
【図６】
2005173833.tif 000008
【図７】
2005173833.tif 000009
【手続補正書】
【提出日】平成16年5月27日(2004.5.27)
【手続補正１】
【補正対象書類名】明細書
【補正対象項目名】００１０
【補正方法】変更
【補正の内容】
【００１０】
請求項３の手段は前記した請求項１または２において、前記制御手段は、誘導灯として動作させる場合に、誘導方向を図柄や文字に変換して表示するようにしたことを特徴とする。
【手続補正２】
【補正対象書類名】明細書
【補正対象項目名】００１８
【補正方法】変更
【補正の内容】
【００１８】
さらに、火災の進行状況に応じて照明手段を坑口のみに向かって順次移動する誘導表示と、各非難口および坑口に向かって順次移動する誘導表示とに切換えることで、狭い避難通路での混雑を防止してトンネル内の多数の人を短時間で安全に避難させることができる。
【手続補正３】
【補正対象書類名】明細書
【補正対象項目名】００２８
【補正方法】変更
【補正の内容】
【００２８】
また、前記選択した照明装置２１以外の照明装置２１に対しては、予め登録してある避難口あるいは坑口に向かって白色表示している表示体２１ｂの赤のＬＥＤを消灯することにより青緑ＬＥＤによる青緑色の表示を図６に示すように繰り返し順次移動させて避難者を誘導する（ステップＳ４２）。